(57)【特許請求の範囲】
【請求項１】
有害物質を含む原水、難溶性金属酸化物、および可溶性金属化合物を流動反応槽に導入し、ｐＨ７〜１１にして該難溶性金属酸化物の表面を溶解させると共にその他は未溶解部分とし、溶解した難溶性金属酸化物と可溶性金属化合物とを反応させることによって上記難溶性金属酸化物の未溶解部分表面に層状複水酸化物が形成された汚泥を生成させ、該汚泥に上記原水の有害物質を取り込ませ、この汚泥を分離することを特徴とする有害物質を除去する処理方法。
【請求項２】
流動反応槽に原水を槽底から上向流で導入して槽内にスラッジブランケット域とその上側に清澄域を形成し、スラッジブランケット域において汚泥の生成と流動状態の汚泥が互いに凝集する汚泥の濃縮とを進め、スラッジブランケット域で捕捉されない微小なフロック状の汚泥粒子を清澄域に滞留させて汚泥と処理水の分離を進め、清澄な処理水を清澄域の上側から抜き出し、濃縮した汚泥をスラッジブランケット域から抜き出す請求項１に記載する処理方法。
【請求項３】
槽上部の断面積が拡大した流動反応槽を用いることによって清澄域での汚泥の分離を促す請求項１または請求項２に記載する処理方法。
【請求項４】
抜き出した汚泥の一部または全部を流動反応槽内に戻して汚泥の生成と濃縮を進める請求項１〜請求項３の何れかに記載する処理方法。
【請求項５】
流動反応槽を備え、有害物質を含む原水、難溶性金属酸化物、および可溶性金属化合物が上記流動反応槽に導入され、ｐＨ７〜１１にして該難溶性金属酸化物の表面が溶解させると共にその他は未溶解部分とし、溶解した難溶性金属酸化物と可溶性金属化合物とを反応させることによって上記難溶性金属酸化物の未溶解部分表面に層状複水酸化物が形成された汚泥を生成させ、該汚泥に上記原水の有害物質を取り込ませ、この汚泥を分離することを特徴とする有害物質を除去する処理装置。
【請求項６】
流動反応槽に原水を槽底から上向流で導入して槽内にスラッジブランケット域とその上側に清澄域を形成し、スラッジブランケット域において汚泥の生成と流動状態の汚泥が互いに凝集する汚泥の濃縮とを進め、スラッジブランケット域で捕捉されない微小なフロック状の汚泥粒子を清澄域に滞留させて汚泥と処理水の分離を進め、清澄な処理水を清澄域の上側から抜き出し、濃縮した汚泥をスラッジブランケット域から抜き出す請求項５に記載する処理装置。
【請求項７】
槽上部の断面積が拡大した流動反応槽を備える請求項５または請求項６に記載する処理装置。
【請求項８】
抜き出した汚泥の一部または全部を槽内に戻す返送管路が設けられている請求項５〜請求項７の何れかに記載する処理装置。
【発明の詳細な説明】
【技術分野】
【０００１】
本発明は有害物質を除去する処理方法および処理装置に関し、より詳しくは、フッ素、ホウ素、窒素化合物、リンや重金属類等の有害物質を含有する排水などから、これらの有害物質を除去する処理システムに関する。
【背景技術】
【０００２】
排水などに含まれる有害物質を層状複水酸化物に取り込ませて除去する方法が従来から知られている。例えば、特開２００３−２８５０７６号公報（特許文献１）には、フッ素を含む排水に２価金属イオンと３価金属イオンを添加して層状複水酸化物を生成させ、該層状複水酸化物の層間にフッ素を取り込ませる処理方法が記載されている。
【０００３】
国際公開ＷＯ２００５−０８７６６４号公報（特許文献２）には、アルミニウムイオンとマグネシウムイオンを含む酸性溶液とアルカリを含むアルカリ性溶液を混合し、酸性溶液とアルカリ性溶液の混合が完了した後、時間を置かずに直ちに水分を除去または中和することによって、一般式：Ｍｇ2+1-xＡｌ3+x(ＯＨ)2(Ａn-)x/n・ｍＨ2Ｏ（Ａn-はアニオン）で表されるハイドロタルサイト様物質を形成し、該物質にフッ素などを取り込ませて固定する処理方法が記載されている。
【先行技術文献】
【特許文献】
【０００４】
【特許文献１】特開２００３−２８５０７６号公報
【特許文献２】国際公開ＷＯ２００５−０８７６６４号公報
【発明の概要】
【発明が解決しようとする課題】
【０００５】
従来の上記処理方法は、ハイドロタルサイトなどの層状複水酸化物を生成させてフッ素などの有害物質を取込ませる反応工程と、生成した汚泥を固液分離する工程とを有し、反応槽と固液分離槽を設ける必要があり、処理システム全体の装置構成が大きく、また生成した汚泥の沈降性に劣るため処理時間が長引く問題がある。
【０００６】
本発明は、従来の上記処理方法における上記問題を解決したものであり、有害物質を取り込んだ汚泥の生成と濃縮が同時に進行し、装置の構成が簡単で有害物質の除去効果に優れる処理システムを提供する。
【課題を解決するための手段】
【０００７】
本発明は、以下の構成からなる有害物質を除去する処理方法に関する。
〔１〕有害物質を含む原水、難溶性金属酸化物、および可溶性金属化合物を流動反応槽に導入し、ｐＨ７〜１１にして該難溶性金属酸化物の表面を溶解させると共にその他は未溶解部分とし、溶解した難溶性金属酸化物と可溶性金属化合物とを反応させることによって上記難溶性金属酸化物の未溶解部分表面に層状複水酸化物が形成された汚泥を生成させ、該汚泥に上記原水の有害物質を取り込ませ、この汚泥を分離することを特徴とする有害物質を除去する処理方法。
〔２〕流動反応槽に原水を槽底から上向流で導入して槽内にスラッジブランケット域とその上側に清澄域を形成し、スラッジブランケット域において汚泥の生成と流動状態の汚泥が互いに凝集する汚泥の濃縮とを進め、スラッジブランケット域で捕捉されない微小なフロック状の汚泥粒子を清澄域に滞留させて汚泥と処理水の分離を進め、清澄な処理水を清澄域の上側から抜き出し、濃縮した汚泥をスラッジブランケット域から抜き出す上記[１]に記載する処理方法。
〔３〕槽上部の断面積が拡大した流動反応槽を用いることによって清澄域での汚泥の分離を促す上記[１]または上記[２]に記載する処理方法。
〔４〕抜き出した汚泥の一部または全部を流動反応槽内に戻して汚泥の生成と濃縮を進める上記[１]〜上記[３]の何れかに記載する処理方法。
【０００８】
本発明は、また、以下の構成からなる処理装置に関する。
〔５〕流動反応槽を備え、有害物質を含む原水、難溶性金属酸化物、および可溶性金属化合物が上記流動反応槽に導入され、ｐＨ７〜１１にして該難溶性金属酸化物の表面を溶解させると共にその他は未溶解部分とし、溶解した難溶性金属酸化物と可溶性金属化合物とを反応させることによって上記難溶性金属酸化物の未溶解部分表面に層状複水酸化物が形成された汚泥を生成させ、該汚泥に上記原水の有害物質を取り込ませ、この汚泥を分離することを特徴とする有害物質を除去する処理装置。
〔６〕流動反応槽に原水を槽底から上向流で導入して槽内にスラッジブランケット域とその上側に清澄域を形成し、スラッジブランケット域において汚泥の生成と流動状態の汚泥が互いに凝集する汚泥の濃縮とを進め、スラッジブランケット域で捕捉されない微小なフロック状の汚泥粒子を清澄域に滞留させて汚泥と処理水の分離を進め、清澄な処理水を清澄域の上側から抜き出し、濃縮した汚泥をスラッジブランケット域から抜き出す上記[５]に記載する処理装置。
〔７〕槽上部の断面積が拡大した流動反応槽を備える上記[５]または上記[６]に記載する処理装置。
〔８〕抜き出した汚泥の一部または全部を槽内に戻す返送管路が設けられている上記[５]〜上記[７]の何れかに記載する処理装置。
【発明の効果】
【０００９】
本発明の処理システム（処理方法および処理装置）では、流動反応槽の内部で汚泥の生成と汚泥の濃縮が同時に進行するので、効率よく有害物質を除去することができ、また処理時間を短縮することができる。
【００１０】
汚泥の生成と汚泥の濃縮が同一の槽内で進行するので、反応槽と分離槽の二種類を用いる必要がなく、装置構成が簡略であり、処理装置を小型化することができる。
【００１１】
本発明の処理システムは、フッ素の除去効果に優れており、容易に排水中のフッ素濃度を排水基準〔フッ素８mg/L（海域以外の公共用水域）、フッ素１５mg/L（海域）〕以下まで低減することができる。さらに、分離した汚泥を反応工程に返送することによって、フッ素の除去効果を高めることができ、排水中のフッ素濃度を容易に環境基準（０.８mg/L以下）まで低減することができる。また、フッ素と同時にホウ素、窒素化合物、リン、重金属類等の有害物質を除去することができる。
【図面の簡単な説明】
【００１２】
【図１】本発明の処理方法（処理装置）の概念図
【図２】本発明の処理方法によって生成した汚泥のＳＥＭ写真
【図３】図２の汚泥内部（図中イ）の成分分析図
【図４】図２汚泥表面付近（図中ロ）の成分分析図
【図５】本発明の処理方法によって生成した汚泥のＸＲＤ解析チャート
【発明を実施するための形態】
【００１３】
以下、本発明を実施形態に基づいて具体的に説明する。
〔処理方法〕
本発明の処理方法は、有害物質を含む原水、難溶性金属酸化物、および可溶性金属化合物を流動反応槽に導入し、ｐＨ７〜１１にして該難溶性金属酸化物の表面を溶解させると共にその他は未溶解部分とし、溶解した難溶性金属酸化物と可溶性金属化合物とを反応させることによって上記難溶性金属酸化物の未溶解部分表面に層状複水酸化物が形成された汚泥を生成させ、該汚泥に上記原水の有害物質を取り込ませ、この汚泥を分離することを特徴とする有害物質を除去する処理方法である。本発明の処理方法の概略を図１に示す。
【００１４】
本発明の処理方法は、好ましくは、流動反応槽に原水を槽底から上向流で導入して槽内にスラッジブランケット域とその上側に清澄域を形成し、スラッジブランケット域において汚泥の生成と流動状態の汚泥が互いに凝集する汚泥の濃縮とを進め、スラッジブランケット域で捕捉されない微小なフロック状の汚泥粒子を清澄域に滞留させて汚泥と処理水の分離を進め、清澄な処理水を清澄域の上側から抜き出し、濃縮した汚泥をスラッジブランケット域から抜き出す処理方法である。
【００１５】
本発明の処理方法は、槽上部の断面積が拡大した流動反応槽を用いることによって清澄域で汚泥の分離を促す処理方法、抜き出した汚泥の一部または全部を流動反応槽内に戻し、汚泥の濃縮を進める処理方法を含む。
【００１６】
本発明において、有害物質を含む原水とは、本発明の処理を行う前の有害物質を含む水を広く意味し、自然発生的および人為的に生じた各種の廃水や排水等を含む。例えば、工場排水や下水、海水、河川水、湖沼や池の水、地表の溜り水、河川等の堰止域の水、地下の流水や溜り水、暗渠の水等であって有害物質を含有するもの、あるいは、有害物質によって汚染された土壌の浄化排水、海水や最終処分場からの浸出水などの塩類濃度の高い排水を逆浸透膜および電気透析などを利用して清澄水（淡水）と濃縮水に分離（脱塩処理）した後の濃縮水などである。
【００１７】
処理対象の有害物質は、例えば、重金属類、フッ素、ホウ素、窒素、リンなどである。重金属類はカドミウム、鉛、銅、亜鉛、鉄、ニッケル、セレン、六価クロム、ヒ素、マンガン、アンチモンなどであり、本発明の処理システムによれば、原水に含まれるこれらの有害物質の何れか１種または２種以上に対して優れた除去効果を有する。
【００１８】
さらに有害物質には、ハロゲン化物イオン、各種のハロゲン酸（ハロゲン酸、過ハロゲン酸、亜ハロゲン酸、次亜ハロゲン酸など）、ヘキサフルオロリン酸イオン(ＰＦ6-)、ホウフッ化物イオン(ＢＦ4-)、珪フッ化物イオン(ＳｉＦ62-)、有機酸、浮遊物質(ＳＳ)および有機物などが含まれる。本発明の処理システムはこれらの有害物質の１種または２種以上に対して優れた除去効果を有する。
【００１９】
本発明の処理システムは、流動反応槽に、有害物質を含む原水、難溶性金属酸化物、および可溶性金属化合物を導入して、アルカリ性下で反応させることによって、上記難溶性金属酸化物の表面に層状複水酸化物が形成された汚泥を生成させる。難溶性金属酸化物および可溶性金属化合物のほかに必要に応じて高分子凝集剤、無機凝集剤やｐＨ調整剤が添加される。
【００２０】
難溶性金属酸化物は、その表面が一部溶解して層状複水酸化物の成分源になると共に大部分は未溶解部分として残り、溶解した難溶性金属酸化物と可溶性金属化合物とが反応して、難溶性金属酸化物の表面に層状複水酸化物が形成される。また、溶解した難溶性金属酸化物は層状複水酸化物の成分源になると共にアルカリ剤としての役割を果たす。
【００２１】
難溶性金属酸化物としては酸化マグネシウムや酸化カルシウムなどが用いられる。なお、層状複水酸化物のハイドロタルサイトを形成させるには酸化マグネシウムが好ましい。この酸化マグネシウムは、ドロマイト〔ＣａＭｇ(ＣＯ3)2〕の焼成物のように、成分の一部に酸化マグネシウムを含むもの、あるいはＣａに限らず他の成分と共に酸化マグネシウムを含むものを用いることができる。
【００２２】
難溶性金属酸化物の平均粒子径は１μm〜２００μmが好ましく、１０μm〜４０μmがより好ましい。難溶性金属酸化物は可溶性金属化合物を添加した原水に添加してもよいし、流動反応槽内に返送するために抜き出した汚泥に添加してもよい。
【００２３】
可溶性金属化合物として可溶性アルミニウム塩や可溶性鉄塩などを用いることができる。このなかで、ハイドロタルサイトを形成させるには可溶性アルミニウム塩が好ましい。具体的には、ポリ塩化アルミニウム、硫酸アルミニウム（硫酸バンド）、塩化アルミニウム、硝酸アルミニウムなどが好ましい。なお、可溶性アルミニウム塩として、アルミニウムを高濃度に含有する廃液（貴金属触媒の回収廃液、金属アルミニウムを溶解した液など）を利用することができる。可溶性金属化合物は原水に添加してもよいし、流動反応槽内に直接添加してもよい。
【００２４】
可溶性アルミニウム塩の添加量は、例えば、フッ素濃度１〜５０mg/Lの原水１Lに対してアルミニウム濃度が１０〜２００mg/Lになる量が適当である。また、酸化マグネシウムの添加量は、例えば、フッ素濃度１〜５０mg/Lの原水１Lに対して、０.０５〜２g/Lになる量が適当である。
【００２５】
難溶性金属酸化物として酸化マグネシウムを用い、可溶性金属化合物として可溶性アルミニウム塩を用い、これらを原水に添加してアルカリ性下（ｐＨ７〜１１が好ましい）で反応させると、酸化マグネシウムは溶け難いので大部分は未溶解部分として残るが、表面は部分的に溶解し、溶出したマグネシウムがアルミニウムと反応して酸化マグネシウム表面に層状複水酸化物が形成される。具体的には、酸化マグネシウム表面にマグネシウムとアルミニウムが反応してハイドロタルサイト〔一般式：Ｍｇ2+1-xＡｌ3+x(ＯＨ)2(Ａn-)x/n・ｍＨ2Ｏ（Ａn-はアニオン）〕が形成される。
【００２６】
この汚泥の状態を図２に示す。図２の汚泥の内部(図中イ)についてＥＤＸ分析を行うと、図３のように、圧倒的にマグネシウム成分が多く、酸化マグネシウムであることを示している。一方、図２の汚泥の表面付近(図中ロ)についてＥＤＸ分析を行うと、図４のように、マグネシウムとアルミニウムのピークが検出され、ハイドロタルサイトを形成していることが分かる。
【００２７】
また、本発明の処理を実施して生成した汚泥についてＸＲＤ解析チャートを図５に示す。図５に示すように、酸化マグネシウム相と共にハイドロタルサイト相のピークが現れており、酸化マグネシウム表面にハイドロタルサイトが形成されていることが分かる。
【００２８】
上記層状複水酸化物は、層間に水分子を含む層状構造を有しており、電気的中性を保つために層間に陰イオンを取り込む性質があり、例えば、有害物質のフッ素は層間に取り込まれる。また、フッ素と共に有機酸、オキシアニオン系のホウ素、窒素、リン、セレン、六価クロム、ヒ素、アンチモンなどの陰イオンも層間に取り込まれる。
【００２９】
さらに、層状複水酸化物を形成している２価金属や３価金属の一部が陽イオンの重金属類と置換することによって、カドミウム、鉛、銅、亜鉛、鉄、ニッケル、マンガンなどの有害重金属類が取り込まれる。また、浮遊物質(ＳＳ)は層状複水酸化物を含む汚泥と凝集して取り込まれ、有機物は層状複水酸化物を含む汚泥の表面に吸着して取り込まれる。このようにフッ素および重金属類が層状複水酸化物に取り込まれ、この層状複水酸化物を含む汚泥を分離することによってフッ素および重金属類を除去することができる。また、同時に重金属類以外の有害物質も除去することができる。
【００３０】
流動反応槽をｐＨ７.５〜１１に調整するとよい。流動反応槽には必要に応じてｐＨ調整剤を添加することができる。ｐＨ調整剤としては、水酸化ナトリウム、水酸化カルシウム、酸化カルシウムなどのアルカリや硫酸、塩酸などの酸を用いることができる。ｐＨ調整剤は原水に添加してもよく、直接流動反応槽内に添加してもよい。
【００３１】
汚泥のフロック形成を促進するため、凝集剤を添加するとよい。凝集剤は無機凝集剤または高分子凝集剤またはその両方を使用することができる。高分子凝集剤はアニオン性、カチオン性、ノニオン性など何れでもよい。なお、アニオン系の高分子凝集剤が使用し易いので好ましい。高分子凝集剤の添加量は通常１mg/L〜２０mg/Lでよい。高分子凝集剤は酸化マグネシウムなどの難溶性金属酸化物を添加した原水に添加してもよいし、直接流動反応槽内に添加してもよい。
【００３２】
〔前処理工程〕
本発明の処理方法は、有害物質を含む原水に含まれる有害物質や妨害物質を予め低減する前処理工程を流動反応槽の前に設けることができる。前処理することによって有害物質の除去効果をさらに高めることができる。なお、妨害成分とは、それ自身は有害物質ではないが、本発明の処理方法を妨害する物質である。
【００３３】
具体的には、例えば、原水に含まれている重金属類（カドミウム、鉛、銅、亜鉛、鉄、ニッケル、マンガン、六価クロム、ヒ素など）の濃度が２０mg/Lより高いと、重金属類を取り込んだ層状複水酸化物の構造が部分的に崩れ、重金属類などの有害物質の除去効果が不充分になることがある。そこで前処理を行ってもよい。前処理の方法は限定されない。前処理として、例えば、中和剤（NaOH、Ca(OH)2など）を加えて原水のｐＨを５〜１０の範囲に調整し、重金属類の水酸化物沈殿を生成させ、これを凝集沈澱処理し、原水の重金属濃度を１０mg/L未満にしてもよいし、原水にアルミニウム塩や鉄塩を添加した後、中和剤（NaOH、Ca(OH)2など）を加えて原水のｐＨを５〜１０の範囲に調整し、水酸化物沈殿を生成させ、その沈殿に共沈させて、これを固液分離して原水の重金属濃度を１０mg/L未満にしてもよい。
【００３４】
また、原水のリン酸イオンがリン濃度として５０mg/Lより高いと、リン酸イオンが他の有害物質と競争して層状複水酸化物に吸着され、他の有害物質の除去効果が低下することがある。そこで前処理を行ってもよい。前処理の方法は限定されない。前処理として、例えば、原水にカルシウム塩（Ca(OH)2など）を添加し、リン酸カルシウム塩を生成させて除去し、原水のリン酸イオンをリン濃度として５mg/L未満にするとよい。
【００３５】
同様に、原水の硝酸イオンが窒素濃度として２００mg/Lより高いと、硝酸イオンが他の有害物質と競争して層状複水酸化物に吸着され、他の有害物質の除去効果が低下することがある。そこで前処理を行ってもよい。前処理の方法は限定されない。前処理として、例えば、生物処理（嫌気性脱窒法など）を行い、原水の硝酸イオンを窒素濃度として２００mg/L未満にするとよい。
【００３６】
さらに、原水のホウ酸イオンがホウ素濃度として１００mg/Lより高いと、ホウ酸イオンが他の有害物質と競争して層状複水酸化物に吸着され、他の有害物質の除去効果が低下することがある。そこで前処理を行ってもよい。前処理の方法は限定されない。前処理として、例えば、メチルグルカミン基を有するキレート樹脂に原水を通液してホウ酸イオンを吸着させ、原水のホウ酸イオンをホウ素濃度として１００mg/L未満にするとよい。
【００３７】
さらに、原水のフッ素濃度が５０mg/Lより高いと、層状複水酸化物の必要量が増大するため、投入する薬剤量が多くなることがある。そこで前処理を行ってもよい。前処理の方法は限定されない。前処理として、例えば、カルシウム塩を添加して難溶性のフッ化カルシウムを生成させ、これを固液分離してフッ素濃度を５０mg/L未満にするとよい。
【００３８】
また、原水に含まれる浮遊物質(ＳＳ)の濃度が６０mg/Lより高いと、浮遊物質を取り込んだ層状複水酸化物の構造が部分的に崩れ、有害物質の除去効果が不充分になることがある。そこで前処理を行ってもよい。前処理の方法は限定されない。前処理として、例えば、無機凝集剤や高分子凝集剤を添加して浮遊物質を沈澱分離し、原水の浮遊物質の濃度を２０mg/L未満にするとよい。
【００３９】
同様に、原水に含まれる有機物の濃度がＣＯＤとして２００mg/Lより高いと、有機物を取り込んだ層状複水酸化物の構造が部分的に崩れ、有害物質の除去効果が不充分になることがある。そこで前処理を行ってもよい。前処理の方法は限定されない。前処理として、例えば、生物処理法（活性汚泥法など）や促進酸化法（紫外線酸化や光触媒など）などによって、原水の有機物濃度をＣＯＤとして８０mg/L未満にするとよい。
【００４０】
前処理工程において、原水に含まれる妨害成分を除去すれば処理効果をさらに高めることができる。妨害成分としては硫酸イオン、亜硫酸イオン、塩化物イオン、炭酸イオン、溶存シリカやケイ酸イオンなどである。
【００４１】
例えば、原水に含まれる硫酸イオン濃度が１５００mg/Lより高いと、硫酸イオンが有害物質と競争して層状複水酸化物に吸着され、有害物質の除去効果が低下することがある。そこで前処理を行ってもよい。前処理の方法は限定されない。前処理として、例えば、原水にＣａ塩やＢａ塩を添加して難溶性の硫酸塩を生成させ、これを固液分離して硫酸イオン濃度を低下させる。Ｃａ塩を用いる場合には硫酸イオンを１０００mg/L未満に低減することができる。Ｂａ塩を用いる場合には硫酸イオンを５mg/L未満に低減することができる。
【００４２】
また、原水の亜硫酸イオン濃度が５０mg/Lより高いと、亜硫酸イオンがアルミニウムイオンと反応するので、アルミニウム添加量が多く必要になることがある。また、亜硫酸イオンが有害物質と競争して層状複水酸化物に吸着され、有害物質の除去効果が低下することがある。そこで前処理を行ってもよい。前処理の方法は限定されない。前処理として、例えば、原水に過酸化水素などの酸化剤を添加して亜硫酸イオンを硫酸イオンに酸化し、原水の亜硫酸イオンを１０mg/L未満にするとよい。
【００４３】
さらに、原水の塩化物イオン濃度が２０００mg/Lより高いと、塩化物イオンが有害物質と競争して層状複水酸化物に吸着され、有害物質の除去効果が低下することがある。そこで前処理を行ってもよい。前処理の方法は限定されない。前処理として、例えば、電解分解によって塩素をガス化して除去し、あるいは逆浸透法や電気透析法など膜処理によって塩化物イオン濃度を１０００mg/L未満にするとよい。
【００４４】
原水の炭酸イオン濃度が５００mg/Lより高いと、炭酸イオンが有害物質と競争して層状複水酸化物に吸着され、有害物質の除去効果が低下することがある。そこで前処理を行ってもよい。前処理の方法は限定されない。前処理として、例えば、曝気して炭酸イオンを気散させ、あるいはＣａ塩を添加して難溶性の炭酸塩を生成させ、これを固液分離して炭酸イオン濃度を５０mg/L未満にするとよい。
【００４５】
原水の溶存シリカやケイ酸イオンがＳｉ濃度として２０mg/Lより高いと、溶存シリカやケイ酸イオンを取り込んだ層状複水酸化物の構造が部分的に崩れ、有害物質の除去効果が不充分になることがある。そこで前処理を行ってもよい。前処理の方法は限定されない。前処理として、例えば、鉄塩やアルミニウム塩を添加し、さらに中和剤（NaOH、Ca(OH)2など）を加えて原水のｐＨを５〜１０の範囲に調整し、水酸化物沈殿を生成させ、その沈殿に溶存シリカやケイ酸イオンを共沈させ、これを固液分離して原水の溶存シリカやケイ酸イオンをＳｉ濃度として１０mg/L未満にするとよい。
【００４６】
〔後処理工程〕
さらに、本発明の処理方法は、汚泥を分離した液分（処理水）を後処理する工程を設けることができる。流動反応槽で汚泥を分離した液分（処理水）に、有機物や浮遊物質、窒素化合物が残留している場合や、あるいは処理水のｐＨが９以上の場合がある。そこで、処理水の後処理工程を設けてもよい。後処理方法は限定されない。
【００４７】
処理水に含まれる有機物については、例えば、生物処理法（活性汚泥法など）や促進酸化法（紫外線酸化や光触媒など）などによって、有機物をＣＯＤ濃度として８０mg/L未満に低減するとよい。また、処理水に含まれる浮遊物質(ＳＳ)については、例えば、無機凝集剤や高分子凝集剤を添加して浮遊物質を沈澱分離し、浮遊物質の濃度を２０mg/L未満にするとよい。さらに、処理水に含まれる窒素化合物については、例えば、生物処理（硝化脱窒素法など）を行い、窒素濃度として６０mg/L未満に低減するとよい。
【００４８】
処理水のｐＨが９以上になる場合があるので、ｐＨが高い場合には処理水に硫酸や塩酸などを添加してｐＨを６〜８になるように中和処理するとよい。
【００４９】
本発明の処理方法（処理装置）は、好ましくは、流動反応槽に原水を槽底から上向流で導入し、この流入速度を調整することによって、槽内中央部にスラッジブランケット域と、層内上部に清澄域を形成する。このスラッジブランケット域において汚泥が生成されると共に、生成した汚泥が流動状態に懸濁して汚泥が互いに凝集し、同一槽内で汚泥の生成と濃縮が同時に進む。濃縮した汚泥はスラッジブランケット域から抜き出される。
【００５０】
汚泥の生成と濃縮が十分に行われるように、スラッジブランケット域の固形分濃度を１g/L〜８０g/Lに調整するとよい。この場合、原水の上向きの流入速度を１m/h〜２０m/hに調整するとよい。
【００５１】
汚泥の量が増えてスラッジブランケット域の高さが所定の位置を超えるようになったら、汚泥を抜き出す。またはスラッジブランケット域の汚泥濃度（固形分濃度）が８０g/Lを超えたら汚泥を抜き出す。原水のフッ素濃度などの有害物質の濃度が高い場合には、抜き出した汚泥の一部または全部を流動反応槽内に戻して再利用するとよい。流動反応槽内には原水に添加して返送してもよいし、直接槽内に返送してもよい。また、返送する際に難溶性金属酸化物を添加してもよい。
【００５２】
一方、清澄域において、槽内の上昇流に伴ってスラッジブランケット域を通過した微小なフロック状の汚泥粒子は上昇流の流速低下によって滞留し、汚泥の分離が進む。清澄域で上昇流の速度が低下するように、槽上部の開口径（開口部の断面積）を大きくした流動反応槽を用いるとよい。また、清澄域には必要に応じて整流板を設けるとよい。
【００５３】
このように、清澄域の上側部分には汚泥粒子が届かないので、汚泥と分離された清澄な処理水になる。この部分から処理水を系外に抜き出す。
【００５４】
〔処理装置〕
本発明の処理装置は、図１に示すように円筒カラムの流動反応槽１０を備えており、有害物質を含む原水、難溶性金属酸化物、および可溶性金属化合物が上記流動反応槽に導入され、アルカリ性下での反応によって上記難溶性金属酸化物の表面に層状複水酸化物が形成された汚泥を生成させ、該汚泥に有害物質を取り込ませ、この汚泥を分離する処理装置である。
【００５５】
本発明の処理装置では、流動反応槽１０に原水が槽底から上向流で導入されることによって、槽内に、汚泥の生成と凝集が一体となって起こるスラッジブランケット域Ａ、および清澄域Ｂが形成され、同一槽内で汚泥の生成と濃縮が進行する。汚泥と分離された処理水は清澄域上側の槽上部から抜き出される。濃縮した汚泥はスラッジブランケット域から抜き出される。
【００５６】
本発明の処理装置は、槽上部での上昇流の速度が低下するように、槽上部の開口部１１が拡大した流動反応槽１０を用いるとよい。また、抜き出した汚泥の一部または全部を槽内に戻す返送管路１２を設けて、汚泥を再利用し、処理効果を高めることができる。
【実施例】
【００５７】
以下、本発明の実施例を比較例と共に示す。処理装置としてＰＶＣ製の円筒カラム（直胴部直径φ：５０mm、直胴部高さＨ：６００mm、清澄域開口部直径φ：１００mm、清澄部域開口部高さＨ：２００mm、直胴部（スラッジブランケット域＋清澄域下部）有効容積：１.１７L）からなる流動反応槽を用いた。なお、直胴部上側の拡大部分には清澄域の一部が形成される。また直胴部にはスラッジブランケット域と清澄域の一部が形成される。フッ素濃度分析はフッ化物イオン電極法（JIS−K0102−34.2）に基づいて測定し、水素イオン濃度(ｐＨ)はガラス電極法（JIS−K0102−12.1）によって測定した。
【００５８】
〔実施例１〕
フッ素濃度１.５mg/Lの原水を、流動反応槽底部の供給口から、定量送液ポンプにて連続的に槽内に供給した（流入量５０cm3/min）。供給口で原水にポリ塩化アルミニウムをＡｌ3+濃度として５０mg/L添加し、酸化マグネシウムを０.４g/L添加し、高分子凝集剤（アニオン性高分子凝集剤）５mg/Lを添加した。
流動反応槽内では汚泥が生成し、それらが凝集してスラッジブランケットを形成した。原水の流入開始後１時間でスラッジブランケット域は約２５０mmの高さになった。槽内を上昇した液は清澄域上部で上昇速度が低下するため浮遊粒子(ＳＳ)が分離された。清澄域からオーバーフローした処理水の水素イオン濃度(ｐＨ)は８.４〜８.９であった。また、この処理水のフッ素濃度は、１時間後に０.７mg/L、２時間後に０.５mg/L、４時間後に０.５mg/Lになり、環境基準値（０.８mg/L以下）を満足する値であった。
【００５９】
〔実施例２〕
フッ素濃度１２mg/Lの原水を、流動反応槽底部の供給口から、定量送液ポンプにて連続的に槽内に供給した（流入量８０cm3/min）。供給口で原水にポリ塩化アルミニウムをＡｌ3+濃度として６０mg/L添加し、酸化マグネシウムを０.６g/L添加し、高分子凝集剤（アニオン性高分子凝集剤）５mg/Lを添加した。
流動反応槽内では汚泥が生成し、それらが凝集してスラッジブランケットを形成した。原水の流入開始後１.５時間でスラッジブランケット域は約３２０mmの高さになった。槽内を上昇した液は清澄域上部で上昇速度が低下するため浮遊粒子(ＳＳ)が分離された。清澄域からオーバーフローした処理水の水素イオン濃度(ｐＨ)は８.６〜９.２であった。また、この処理水のフッ素濃度は、２時間後に７.２mg/L、３.５時間後に６.４mg/L、５時間後に５.８mg/Lになり、排水基準値以下であった。
【００６０】
〔実施例３〕
フッ素濃度１.５mg/Lの原水を、流動反応槽底部の供給口から、定量送液ポンプにて連続的に槽内に供給した（流入量６０cm3/min）。供給口で原水にポリ塩化アルミニウムをＡｌ3+濃度として５０mg/L添加した。また流動反応槽の凝集域から汚泥を抜き出し、この汚泥に酸化マグネシウムを原水流量に対して０.４g/L添加し、これを原水と混合して槽内に供給した。また高分子凝集剤（アニオン性高分子凝集剤）５mg/Lを添加した。
流動反応槽内では汚泥が生成し、それらが凝集してスラッジブランケットを形成した。原水の流入開始後１時間でスラッジブランケット域は約２８０mmの高さになった。槽内を上昇した液は清澄域上部で上昇速度が低下するため浮遊粒子(ＳＳ)が分離された。清澄域からオーバーフローした処理水の水素イオン濃度(ｐＨ)は８.４〜８.９であった。また、この処理水のフッ素濃度は、２時間後に０.６mg/L、３時間後に０.３mg/L、４.５時間後に０.２mg/Lになり、環境基準値（０.８mg/L以下）を満足する値であった。汚泥を循環しない実施例１よりもフッ素濃度が低下した。
【００６１】
〔比較例〕
フッ素濃度１３mg/Lの原水を、流動反応槽底部の供給口から、定量送液ポンプにて連続的に槽内に供給した（流入量３０cm3/min）。供給口で原水にポリ塩化アルミニウムをＡｌ3+濃度として５０mg/L添加し、塩化マグネシウム６水和物をＭｇ2+濃度として８０mg/L添加し、２５％濃度水酸化ナトリウムを１.２g/Lを添加し、高分子凝集剤（アニオン性高分子凝集剤）５mg/Lを添加した。
流動反応槽内では汚泥が生成し、それらが凝集してスラッジブランケットを形成した。しかし、浮遊汚泥の沈降性が劣り、流入開始後０.５時間でスラッジブランケット域の高さは約６００mmを超過し、汚泥がオーバーフローし始めた。オーバーフローした液の水素イオン濃度（pH）は７.８〜９.６であり、フッ素濃度は７〜１１mg/Lであり、排水基準値を安定して満足することができなかった。
【符号の説明】
【００６２】
１０−流動反応槽、１１−開口部、１２−返送管路、Ａ−清澄域、Ｂ−スラッジブランケット域。
【図１】
0005794423.tif 000002
【図３】
0005794423.tif 000003
【図４】
0005794423.tif 000004
【図５】
0005794423.tif 000005
【図２】
0005794423.tif 000006